(57)【要約】【課題】台座状の下側部分と１つまたは複数の差込モジュールとを含む、特に過電圧に対する防護のための改良された差込可能な組合せ型装置を提供する。【解決手段】本発明は、台座状の下側部分と１つまたは複数の差込モジュールとを含み、該差込モジュールは過電圧防護部材を収容しており、さらに、それぞれ前記下側部分および前記差込モジュールに配置された接触部材および接触対応部材と、前記差込モジュールと台座状の前記下側部分との間で作用する機械的な係止部材またはスナップ嵌め部材とを含み、係止機能またはスナップ嵌め機能は前記差込モジュールの交換を希望するときに解消可能である、特に過電圧に対する防護のための差込可能な組合せ型装置に関するものである。本発明によると、前記差込モジュールは底面グループを備える支持体ユニットを含んでおり、前記底面グループには面積の広い複数の接触部材が配置されており、さらに前記底面グループは水槽状の下面を有しており、該下面からストッパエッジ、ストッパ面、および／またはストッパピンが下方に向かって台座状の前記下側部分の方向へと延びている。前記支持体ユニットはフードで取り囲まれており、前記フードは少なくとも１つの側にヒンジ面を有しており、該ヒンジ面は押圧プレートへと移行しており、それによって係止ラグまたは係止カムを備える係止挿入部品を操作する。【選択図】  図１【特許請求の範囲】
【請求項１】
台座状の下側部分と１つまたは複数の差込モジュールとを含み、該差込モジュールは過電圧防護部材を収容しており、さらに、それぞれ前記下側部分および前記差込モジュールに配置された接触部材および接触対応部材と、前記差込モジュールと台座状の前記下側部分との間で作用する機械的な係止部材またはスナップ嵌め部材とを含み、係止機能またはスナップ嵌め機能は前記差込モジュールの交換を希望するときに解消可能である、特に過電圧に対する防護のための差込可能な組合せ型装置において、
前記差込モジュールは底面グループを備える支持体ユニットを含んでおり、前記底面グループには面積の広い複数の接触部材が配置されており、
さらに前記底面グループは水槽状の下面を有しており、該下面からストッパエッジ、ストッパ面、および／またはストッパピンが下方に向かって台座状の前記下側部分の方向へと延びており、
前記支持体ユニットはフードで取り囲まれており、前記フードは少なくとも１つの側にヒンジ面を有しており、該ヒンジ面は押圧プレートへと移行しており、それによって係止ラグまたは係止カムを備える係止挿入部品を操作し、前記係止挿入部品は、連結ウェブに配置された、側方で間隔をおいた２つの斜面または楔形面を有するとともに、前記斜面または楔形面の間の間隔領域には陥入部が設けられており、該陥入部の下面には前記連結ウェブと実質的に平行に延びる係止エッジが一体成形されており、
前記係止エッジを起点として前記陥入部の両側に可撓の固定クリップがあり、前記係止挿入部品は前記連結ウェブと前記係止エッジが前記支持体ユニットの側方部分の間隙に収容されて前記フードにより固定されていることを特徴とする、差込可能な組合せ型装置。
【請求項２】
前記固定クリップは前記支持体ユニットの内面に対して前記係止挿入部品を支持することを特徴とする、請求項１に記載の差込可能な組合せ型装置。
【請求項３】
前記押圧プレートは、前記係止挿入部品の前記斜面または楔形面の領域にある切欠きと、前記係止挿入部品の前記陥入部へこれを操作するために係合する少なくとも１つの舌部とを有していることを特徴とする、請求項１または２に記載の差込可能な組合せ型装置。
【請求項４】
前記係止挿入部品は可撓の前記固定クリップによって初期応力のもとで前記支持体ユニットの側方部分の間隙内の位置に保持されていることを特徴とする、前記請求項のうちいずれか１項に記載の差込可能な組合せ型装置。
【請求項５】
前記下側部分と前記差込モジュールの間にはばね状の機械式のエネルギー蓄積器が設けられており、該エネルギー蓄積器は前記差込モジュールを挿入したときに応力をかけられるとともに、係止機能またはスナップ嵌め機能が解消されたときに台座状の前記下側部分から前記差込モジュールを外すための機械エネルギーを解放することを特徴とする、前記請求項のうちいずれか１項に記載の差込可能な組合せ型装置。
【請求項６】
前記支持体ユニットは過電圧防止部材を収容していることを特徴とする、前記請求項のうちいずれか１項に記載の差込可能な組合せ型装置。
【請求項７】
前記支持体ユニットの前記底面グループの領域に、前記フードの相補的な切欠きへこれを係止するように係合する係止突起が設けられていることを特徴とする、前記請求項のうちいずれか１項に記載の差込可能な組合せ型装置。
【請求項８】
前記フードはそれぞれ向かい合う幅広の側面と幅狭の側面を有していることを特徴とする、前記請求項のうちいずれか１項に記載の差込可能な組合せ型装置。
【請求項９】
前記押圧プレートはそれぞれ前記短辺のうち少なくとも１つに設けられていることを特徴とする、請求項８に記載の差込可能な組合せ型装置。
【請求項１０】
前記押圧プレートの外側表面は構造化されていることを特徴とする、前記請求項のうちいずれか１項に記載の差込可能な組合せ型装置。
【請求項１１】
前記底面グループにはコーディングピンおよび／または電気通信接触をリリースする部材が設けられていることを特徴とする、前記請求項のうちいずれか１項に記載の差込可能な組合せ型装置。
【請求項１２】
前記フードは下側領域にその幅全体が楔形となって伸びる形状を有していることを特徴とする、前記請求項のうちいずれか１項に記載の差込可能な組合せ型装置。
【請求項１３】
前記フードはその上面に球面状または円弧状の形態を有していることを特徴とする、前記請求項のうちいずれか１項に記載の差込可能な組合せ型装置。
【請求項１４】
前記下側部分はＵ字型を有しており、前記下側部分の開いた脚部に係止部材またはスナップ嵌め部材が配置されており、連結脚部は１つまたは複数の機械式の前記エネルギー蓄積器およびその操作のための切欠きを含んでいることを特徴とする、請求項５から１３までのいずれか１項に記載の差込可能な組合せ型装置。
【請求項１５】
前記開いた脚部は前記差込モジュールを容易に挿入するための長手方向に延びるガイドレールを有していることを特徴とする、請求項１４に記載の差込可能な組合せ型装置。
【請求項１６】
前記連結脚部は前記底面グループの下面と相補的な形状を有しており、前記連結脚部の下側には、前記底面グループの前記ストッパエッジ、前記ストッパピン、または前記ストッパ面のためのアクセス部を上方に向かって含む、それぞれ１つのばねユニットのための収容部が設けられていることを特徴とする、請求項５および請求項１４または１５に記載の差込可能な組合せ型装置。
【請求項１７】
前記ばねユニットは台座状の前記下側部分の底面に対して支持されていることを特徴とする、請求項１６に記載の差込可能な組合せ型装置。
【請求項１８】
前記連結脚部には前記コーディングピンのための、または電気通信接点へのアクセスのための少なくとも１つの切欠きが設けられていることを特徴とする、請求項１４から１７までのいずれか１項に記載の差込可能な組合せ型装置。
【請求項１９】
前記係止部材または前記スナップ嵌め部材は複数設けられており、特に左右対称に配置されていることを特徴とする、前記請求項のうちいずれか１項に記載の差込可能な組合せ型装置。
【請求項２０】
前記連結脚部は、向かい合う開いた脚部部分を安定化させる、両側にそれぞれ一体成形されたウェブを有していることを特徴とする、請求項１４から１９までのいずれか１項に記載の差込可能な組合せ型装置。
【請求項２１】
前記差込モジュールはフード上側部分およびそこにある前記押圧プレートが差込状態のときに自由にアクセス可能なまま保たれることを特徴とする、前記請求項のうちいずれか１項に記載の差込可能な組合せ型装置。
【請求項２２】
前記接触部材および前記接触対応部材は突入電流に対して耐性のある差込接点として製作されていることを特徴とする、前記請求項のうちいずれか１項に記載の差込可能な組合せ型装置。
【請求項２３】
請求項１から２２までの少なくとも１項に記載の差込可能な組合せ型装置で使用するための、前記請求項のうち少なくとも１項に記載の差込モジュール。
【発明の詳細な説明】
【技術分野】
【０００１】
本発明は、請求項１の前提項に記載されている、台座状の下側部分と１つまたは複数の差込モジュールとを含み、該差込モジュールは過電圧防護部材を収容しており、さらに、それぞれ下側部分および差込モジュールに配置された接触部材と接触対応部材とを含んでいる、特に過電圧に対する防護のための差込可能な組合せ型装置に関する。
【背景技術】
【０００２】
従来技術の過電圧防護装置は、多くのケースにおいて、下側部分と差込モジュールとを含む差込可能な組合せ型装置として施工されている。
【０００３】
下側部分には、電気導体と接触するための接続端子が配置されるとともに、差し込まれるべき差込モジュールのための相応の収容部がある。さらに下側部分は、希望する機械的・電気的な接触と、下側部分における差込モジュールの相応の保持とが与えられるように、差込モジュールの１つまたは複数の差込接点を包囲する部材を収容している。
【０００４】
差込モジュールには、たとえばスパークギャップ、バリスタ、ガス式アレスタといった本来の過電圧防護部材がある。
【０００５】
下側部分は多くのケースにおいてＵ字型の本体として構成されており、Ｕ字型の本体の開いている脚部が差込モジュールを側方から取り囲み、差込モジュールはＵ字型部分の連結脚部の上に載る。さらに下側部分はその取付側に、いわゆるハットレール取付を可能にする収容部材を有している。
【０００６】
簡略に説明したように、下側部分と差込モジュールとの間で機能を分担する利点は、点検作業や保守作業のときに差込モジュールを取り出すことができ、そのために接続端子を開いたり、該当する設備に通電されないように切り換えなくてすむことにある。
【０００７】
そして、取り外されて分離された差込モジュールを、電気設備の外部で専用の検査機器を用いて検査して、場合により交換し、もしくは再び使用することができる。
【０００８】
従来技術に関しては、たとえばドイツ特許第３６３９５３３Ｃ２号明細書、ドイツ実用新案出願公開第２９５１９３１３号明細書、ドイツ特許第１０００１６６７Ｃ１号明細書、およびドイツ実用新案出願公開第２０２００４００６２２７Ｕ１号明細書を参照されたい。
【０００９】
下側部分と差込モジュールとの間の差込接触構造の構成にかかわる特別な問題点として、避雷時にこれを通る波形１０／３５０μｓおよび８／２０μｓの電流に備えて、ないしはネット周波数の短絡電流に備えて、構造的に設計されていなくてはならないことに留意すべきである。
【００１０】
特に市場で必要とされている過電圧・雷電流アレスタでは、部分的に最大１００ｋＡという著しい突入電流を、このような接点を通してほぼ発火や磨耗なく何度も通さなくてはならない。これに準ずる試験は、過電圧防護装置に関する製品規格で定着している。
【００１１】
したがって、このように大きな突入電流を確実に制御するために、個々の接触部材の間の接触力を非常に大きく選択せざるを得ない。このことは、高い力をかけなければ、かつ多くの場合において専用の工具を利用しなければ、従来技術に基づく差込モジュールを取り外すことができないという結果につながる。つまり、それによって追加の工具が必要となり、装置の使用にとって著しい欠点となる。しかも、工具による取扱時に、アレスタ内部で予期せぬ偶発アークが発生し、その結果として、人間や設備に危害が生じかねないという追加の潜在的危険がある。
【００１２】
それぞれの接触部材の間の接触力が低めに設計されている場合、それによって差込モジュールの取外しを容易にすることはできるものの、突入電流プロセス中における電気力学的な力作用の影響のもとで、下側部分から差込モジュールが予期せず飛び出してしまう可能性があり、そのために、他に防護措置を講じていなければ、装置の適正な全体的機能が果せなくなるという危険がある。
【００１３】
ＰＣＴ国際特許公開第９５／１２９０５号パンフレットより、装置台座と挿入部材との組合せが公知となっており、この場合、挿入部材はたとえば過電圧防護装置である。この文献の装置台座は、側面図で見て、実質的にＵ字型の形態を有しており、Ｕ字を形成する側方部分の両方の脚部には、引込回線のための接続端子と、接地回線のための接続端子と、その他の補助接触端子とが設けられている。装置台座の裏側には、これを取付レールへ取り付けるための装置が設けられている。挿入部材は、それぞれの装置台座の側方部分の間に収容され、装置台座にあるすべての係止突起の裏側で係止される、挿入部材の両面に設けられた係止突起によってそこで固定される。さらに、装置台座のウェブには弾性作用のある接点が設けられており、この接点には、挿入部材が装置台座と係止されるときに、挿入部材に設けられた定置の接触舌部が当接する。
【００１４】
装置台座と挿入部材との組合せの公知の構造は、装置台座を取り外さなくても挿入部材を交換できるように施工されている。前掲の従来技術では装置台座の側方部分の内面のほうを向いている、挿入部材の少なくとも１つの側壁に設けられる係止突起は、装置台座にある対応係止部と係止によって接合することができるものの、挿入部材の舌部状の弾性作用のある部分に係止ラグが直接構成される場合、保持力は十分ではない。雷電流アレスタで発生する突入電流は、支持体ユニットに対して差込モジュールが係止されていても、差込モジュールが支持体ユニットから外へ出てしまう危険が生じるほどの高い力につながる。
【発明の開示】
【発明が解決しようとする課題】
【００１５】
そこで、以上を前提とする本発明の課題は、台座状の下側部分と１つまたは複数の差込モジュールとを含む、特に過電圧に対する防護のための改良された差込可能な組合せ型装置を提供することであり、この組合せ型装置は、一方では、著しい突入電流を発火や磨耗なしに通すことができ、また他方では、台座状の下側部分にある差込モジュールが確実に係止されて固定されており、かつ容易に、すなわち補助手段や特別な工具なしに、緩めて取り外すことができる。
【課題を解決するための手段】
【００１６】
本発明の課題の解決は、請求項１の教示内容に基づく構成要件の組合せによって行われ、従属請求項は、少なくとも好都合な実施形態や発展例を含んでいる。
【００１７】
それによると、本発明の基本的思想の重要点は、電気差込接触システムのモジュールと係止ユニットのモジュールとの間で機能分担を行い、特別な別個の係止挿入部品を用いることにある。
係止挿入部品を備える係止ユニットは、差込モジュールを所望の最終位置で係止する。
【００１８】
差込モジュールが取り外されるべき場合には、手作業による簡単な力作用によって、係止ユニットのロックが解消される。１つの実施形態では、機械式のエネルギー蓄積器から解放される機械的な力作用を利用して、さほどの引張力をかけることなく、差込モジュールを下側部分から引き出すことができる。
【００１９】
上に述べた機能グループの設計は、幅広い範囲にわたって変更可能であり、それによって最適化可能である。たとえば原則として、差込モジュールが差込接触部から自動的に押し出されるように押出し力を設計することが考えられる。同様に、さほどの力をかけなくても差込モジュールを引き出すことができるように、機械的な適合化を行うことができる。
【００２０】
本発明の主要な利点は、本来の接触システム、すなわち接触部材や接触対応部材の設計的な形態を、突入電流を抑止するときの機能に合わせて最善に設計可能であるという点にある。
【００２１】
すなわち、本発明による基本的思想の具体化にあたっては、差込モジュールが挿入されたときに接触部材と接触対応部材を形状接合および／または摩擦接合により連結された状態に保つ力に関わりなく、機能的な分離をしたうえで、各差込モジュールと台座状の下側部分との間で作用する、専用の機械的な係止部材またはスナップ嵌め部材の配置が行われる。
【００２２】
係止機能またはスナップ嵌め機能は、交換を希望するときや、各差込モジュールの点検をするために、機械的な補助手段なしで解消することが可能である。
【００２３】
１つの実施形態では、下側部分と差込モジュールの間に、各差込モジュールが挿入されたときに応力をかけられ、係止機能またはスナップ嵌め機能が解消されたときに差込モジュールを台座状の下側部分から外すための機械エネルギーを解放する、ばね状の機械的なエネルギー蓄積器が設けられる。
【００２４】
差込モジュールは、底面グループを備える支持体ユニットを含んでおり、底面グループには面積の広い複数の接触部材が配置されている。
【００２５】
さらに底面グループは水槽状の下面を有しており、この下面からストッパエッジ、ストッパ面、および／またはストッパピンが下方に向かって台座状の下側部分の方向へと延びている。
【００２６】
支持体ユニットはフードで取り囲まれており、フードは向かい合う側にヒンジ面を有しており、ヒンジ面は押圧プレートへと移行しており、押圧プレートの端部には、挿入状態のときに下側部分に対する係止機能またはスナップ嵌め機能を果す係止ラグまたは係止カムを備える別個の係止挿入部品が設けられている。
【００２７】
フードはプラスチック成形品として具体化することができ、ヒンジ面はいわゆるフィルムヒンジ継手であってよい。押圧プレートを備えるヒンジ面は、通常、係止挿入部品の係止ラグまたは係止カムが最大限外側の位置をとるように、初期応力のもとにある。押圧プレートに対する軽い力作用によって、それぞれの係止挿入部品をその係止ラグまたは係止カムが互いに近づくように、すなわちフードの内面の方向へ動かすことができ、台座状の下側部分にある相補的な切欠きから外に出して解放することができる。
【００２８】
前述した支持体ユニットは、本来の過電圧防護部材を収容している。フードの押圧プレートの下側には、押圧プレートの運動を制限する面またはエッジが支持体ユニットに形成されている。
【００２９】
支持体ユニットの底面グループの領域には、フードの相補的な切欠きに、これを係止しながら係合する係止突起が設けられている。
【００３０】
フードは、向かい合う２つの幅広の側面と向かい合う２つの幅狭の側面とをそれぞれ有しており、短辺に押圧プレートがある。
【００３１】
フードの切欠きは、幅広の側面の下側領域に配置されているのが好ましい。
【００３２】
押圧プレートのいっそう容易な操作のために、および下側部分から差込モジュールを引き出すために、押圧プレートの外側表面は構造化されている。
【００３３】
係止挿入部品の、特に対をなして設けられる係止ラグまたは係止カムは、楔形の摺動面または斜面を有していてよく、それぞれの楔形の尖端は差込方向の方を向いている。差込プロセスのとき、楔形の摺動面は台座状の下側部分の表面に沿って摺動し、押圧プレートの応力を解放したうえで、そこに設けられている切欠きに係合する。
【００３４】
底面グループには、コーディングピンおよび／または電気通信接点をリリースする部材が設けられていてよい。
【００３５】
本発明の１つの態様では、フードは下側領域に、その幅全体が楔形となって伸びる形状を有している。さらにこの態様では、フードはその上面に球面状または円弧状の形態を有している。
【００３６】
組合せ型装置の下側部分はＵ字型を有しており、下側部分の開いた脚部に係止部材またはスナップ嵌め部材が配置されており、連結脚部は、場合により、１つまたは複数のばね状の機械的なエネルギー蓄積器とその操作のための切欠きを含んでいる。
【００３７】
さらに、開いた脚部は差込モジュールを容易に挿入するための長手方向に延びるガイドレールを有していてよい。このガイドレールは、定義されたとおりの正しい向きの差込を可能にするために、コーディング機能も有していてよく、それにより、このような下側部分への誤った装着を回避することができる。
【００３８】
下側部分の連結脚部は、底面グループの下面に対して相補的な形状を有しており、連結脚部の下側には、底面グループのストッパエッジ、ストッパピン、またはストッパ面のためのアクセス部を上方に向かって含んでいる、それぞれ１つのばねユニットのための切欠きが設けられていてよい。
【００３９】
それぞれのばねユニットは、台座状の下側部分の底面に対して支持されるのが好ましい。ばねユニットのばねは交換可能であり、それにより、下側部分の統一された設計コンセプトで、初期応力および押出し力に関してそのつどの利用ケースに合わせた適合化を容易に行うことができる。
【００４０】
連結脚部には、コーディングピンのための、または電気通信接点へのアクセスのための少なくとも１つの切欠きが設けられている。
【００４１】
係止部材またはスナップ嵌め部材、ならびに１つの構成として可能である機械的なエネルギー蓄積器は複数設けられており、左右対称に配置されるのが好ましい。
【００４２】
下側部分の連結脚部は、両側にそれぞれ１つの一体成形されたウェブを有しており、このウェブは向かい合う開いた脚部の各部分を安定化し、差込モジュールを挿入するときにこれらの部分が押し離される恐れをなくす。
【００４３】
フード上側部品と、そこにある押圧プレートとを備えるそれぞれの差込モジュールは、差し込まれた状態のときに突出しており、それにより、差込モジュールを取り出す目的で押圧プレートを操作するために良好にアクセス可能なまま保たれる。
【００４４】
一方は差込モジュールにあり他方は下側部分にある接触部材および接触対応部材は、突入電流に対して耐性のある接触保持力の大きい差込接続部として施工されており、ただし接触保持力は第一義的なものではなく、もしくは、下側部分での差込モジュールの機械的な係止を同時に果さなくてはならない。
【発明を実施するための最良の形態】
【００４５】
次に、図面を参照しながら実施例を使って本発明について詳しく説明する。
【００４６】
図１から明らかなように、差込モジュール１は支持体ユニット４とフード５で構成されている。
【００４７】
フード５の下に、ないし支持体ユニット４の上に、避雷アレスタの本来の能動コンポーネントがあり、差込接点２と電気接続されている。
【００４８】
差込接点２は面積の広い金属ブロックとして製作されており、好ましくは向かい合う側で対称に配置される。
【００４９】
フード５には、押圧プレート６として製作された操作面６’が両方の端面のところにある。
【００５０】
この押圧プレートは、機械的に構成されたヒンジ面７によって上面で動かせるように配置されているので、フード部材の構造へ低コストに組み込むことができる。
【００５１】
操作面６’に対して機械的な力作用が生じると、操作面は内方に向かって動き、このとき、支持体ユニット４のストッパプレート８が経路の制限部として機能することができる。
【００５２】
押圧プレート６の利用することができる経路は、係止ラグ９がその対応部材９’（図２参照）から外に出て、それによって係止が解消されるように調節されている。
【００５３】
全体として、図示した実施例では端面にそれぞれ２つの係止ラグ９が設けられており、その結果、差込モジュール１は全部で４つの固定点を備えており、それによって相応にバランスをとりながら遅滞なく所望の位置で保持される。
【００５４】
操作面６’の表面に備えられた構造により、過度の力をかけることなく、差込モジュール１の容易な取出しが可能となる。
【００５５】
さらに、水槽状の底面グループとして製作されている支持体ユニット４の下面は、コーディングピンまたは電気通信操作接点１００を有している。
【００５６】
前述した底面グループの下面から、それぞれ対応するばねユニット１１（図２）に対する押圧点として作用するストッパエッジ、ストッパ面、またはストッパピン１０が延びている。
【００５７】
支持体ユニット４は底面グループの領域に、フード５の相補的な切欠き１１１に係合してこれを係止する係止突起１１０を有している。
【００５８】
係止挿入部品２００（図４から図６参照）の係止ラグ９は、斜面または摺動面１１２として製作されており、それぞれの楔形の尖端が差込方向の方を向いている。
【００５９】
図示している図面から明らかなように、フード５は下側領域で楔形に延びた形になるように製作されており、フード５の上面は球面状または円弧状の形態を有している。
【００６０】
各々の差込モジュール１は、好ましくは２つまたは４つの対称に配置された差込接触部材２を備えている。可動部分ないし固定部分として差込接触部材２を構成することで、比較的大きい突入電流をほぼ磨耗なく、面積の広い接触部材を介して通すことが可能である。下面に均等に配分されている個別差込接点の配置は、均等で均一な力分布を保証するので、大きな電気力学的な力が生じた場合でも変形が生じたり、下側部分の内部で差込モジュールが傾いたりすることがない。
【００６１】
組合せ型装置の下側部分は、図２および図３の図面によるとＵ字型である。この場合、下側部分１２は２つの開いたＵ字型の脚部１２０と、１つの連結脚部１２１とを有している。
【００６２】
下側部分１２の開いた脚部１２０には、差込モジュール１の係止挿入部品２００の係止ラグ９のための前述した切欠き９’が成形されている。
【００６３】
連結脚部１２１は、１つまたは複数のばね状の機械式のエネルギー蓄積器およびその操作のための切欠き１２２を有している。
【００６４】
開いた脚部１２０は、本発明の１つの実施形態では、そのつどの差込モジュール１を容易かつ正確に挿入するためのガイドレール１３を有している。
【００６５】
さらに連結脚部１２１はその上面で、差込モジュール１の底面グループの下面に対して相補的な形状を有しており、連結脚部の下側には、差込モジュール１の底面グループのストッパエッジ１０のためのアクセス部を上方に向かって含む、それぞれ１つのばねユニット１１の収容部１２３が設けられている。
【００６６】
図２と図３から明らかなように、場合により設けられる、少なくとも１つのコイルばねを含んでいる各ばねユニット１１は、台座状の下側部分の底面に支持される。
【００６７】
さらに連結脚部１２１には、コーディングピンのため、または電気通信接点へのアクセス部として、少なくとも１つの切欠き１２４が設けられている。
【００６８】
下側部分の全体的構成を補強して安定化するために、連結脚部１２１は両側にそれぞれ一体成形されたウェブ１２５を有している。
【００６９】
差し込まれた状態（図３参照）のとき、差込モジュール１は、フード上側部分およびそこにある押圧プレートがアクセス可能なままに保たれる。
【００７０】
ガイドレールによって案内されながら差込モジュール１が下側部分１２に挿入され、対応する差込接点２と下側部分の対応部材との間で所望の電気接触が成立されている間、印加される機械的な力は、下側部分１２にある機械式のエネルギー蓄積器３ないしばねユニット１１に初期応力をかけるために利用される。
【００７１】
このことは、相応のストッパエッジ、ストッパピン、またはストッパ面によって、およびそこに設けられた押圧点によって具体化される。
【００７２】
たとえば各々の下側部分１２には、特に４つのばねユニット１１が組み込まれている。この個数および左右対称な位置決めは、力作用の最善の均一性を保証する。
機械式のエネルギー蓄積器３の具体的な設計上の施工形態を通じて、特に、適切なばね部材の選択とそのばね特性を通じて、設定されるべき押出し力や、これと結びついた押出し距離を広い範囲にわたって変えることができる。
【００７３】
押圧プレート６ないし操作面６’に圧力が及ぼされることによって、切欠き９’から係止ラグ９が外れると、係止ラグ９は切欠き９’と接触しなくなる。その結果、ばねユニットに蓄えられている機械エネルギーを利用して、それ以外の機械的な補助手段や工具を用いることなく、差込モジュール１を取り出すことができる。
【００７４】
格別に確実かつ機械的に堅固な係止接合を得るための、本発明による係止挿入部品の構造と機能形態について、図４から図６を参照して詳しく説明する。
【００７５】
図６に２つの図面で示している係止挿入部品２００は、前面側（右側の図面）に、連結ウェブ２０１に配置された２つの斜面または楔形面１１２を有している。
【００７６】
それぞれの斜面または楔形面１１２の間の間隔領域には陥入部２０２が設けられており、その下面に、連結ウェブ２０１と実質的に平行に延びる係止エッジ２０３が一体成形されている。
【００７７】
連結エッジは、図４および図５の図面に示す係止挿入部品２００を支持体ユニットで確実に固定するために、連結ウェブ２０１よりも大きい高さ寸法を有している。
【００７８】
係止エッジ２０３を起点として、陥入部２０２の両側に可撓の固定クリップ２０４がある。固定クリップ２０４は、係止エッジ２０３の裏側面（図６の左側の図面）を起点として傾斜位置を有しており、斜面ないし楔形面１１２の長さよりも大きい高さを有している。
【００７９】
係止挿入部品２００は、その連結ウェブ２０１および係止エッジ２０３が差込モジュール１の支持体ユニット４の間隙２０５に収容され、フード５で固定される。
【００８０】
固定クリップ２０４は、特に図５の図面に見られるように、支持体ユニット４の内面に対して係止挿入部品２００を支える。
【００８１】
押圧プレート６は、斜面ないし楔形面１１２の領域に切欠き２０６を有するとともに、係止挿入部品２００の陥入部２０２へその操作のために係合する少なくとも１つの舌部２０７を有している。
【００８２】
係止挿入部品２００は可撓の固定クリップ２０４によって、初期応力のもとで、支持体ユニット４の側方部分の間隙内の位置で保持され、固定される。
【００８３】
係止挿入部品２００の陥入部２０２の領域には、十分な機械的安定性を保証するための補強部２０８が設けられていてよい。
【００８４】
係止挿入部品２００は、プラスチック射出成形品またはプラスチックプレス成形品として一体的に製作されているのが好ましい。斜面または楔形面１１２の一方が損傷している場合、もしくは損傷した場合、フード５を取り外してから係止挿入部品２００を交換して、差込モジュールを引き続き使用できるようにすることが可能である。
【００８５】
差込モジュールに対する力は支持体ユニット４で受けとめられ、連結ウェブ２０１の領域で係止挿入部品２００へ伝えられ、前述した係止接合が行われている場合、係止挿入部品２００によって下側部分の切欠き９’へと放出される。
【図面の簡単な説明】
【００８６】
【図１】フードが被せられた（図の左半分）、およびフードを外して支持体ユニットが見えるようにしてある（図の右半分）、本発明による差込モジュールを示す三次元の図面である。
【図２】ばねユニットの詳細図を含む、Ｕ字型の下側部分を示す図である。
【図３】挿入された差込モジュールを備える全体的に差込可能な組合せ型装置を示す図面と、モジュールが完全に差し込まれて台座部分にあるときの機械的なエネルギー蓄積器を示す詳細図である。
【図４】フードを備え、下側部分の切欠きに対して係止接続を成立させるための斜面または楔形面をもつ係止挿入部品が明らかに見えている、差込モジュールを示す図面である。
【図５】フードと押圧プレートを部分的に破断して示す、固定された係止挿入部品の詳細図である。
【図６】係止挿入部品を示す異なる図面である。
【符号の説明】
【００８７】
１  差込モジュール
２  差込接点
３  機械式のエネルギー蓄積器
４  支持体ユニット
５  フード
６  押圧プレート
６’  操作面
７  ヒンジ面
８  ストッパプレート
９  係止ラグ
９’  下側部分の係止ラグのための切欠き
１０  ストッパエッジまたはその押圧点
１１  ばねユニット
１２  下側部分
１３  ガイドレール
１００  コーディングピン／電気通信接点
１１０  支持体ユニットの底面グループの係止部材
１１１  フードの切欠き
１１２  係止ラグの楔形の摺動面
１２０  下側部分１２の開いた脚部
１２１  下側部分の連結脚部
１２２  ばねユニットへのアクセス部としての切欠き
１２３  ばねユニットの収容部
１２４  コーディングピンのための切欠き、および／または電気通信接点へのアクセス部
１２５  ウェブ
２００  係止挿入部品
２０１  連結ウェブ
２０２  陥入部
２０３  係止エッジ
２０４  固定クリップ
２０５  間隙
２０６  切欠き
２０７  舌部
２０８  補強部
【図１】
2008527729.tif 000002
【図２】
2008527729.tif 000003
【図３】
2008527729.tif 000004
【図４】
2008527729.tif 000005
【図５】
2008527729.tif 000006
【図６】
2008527729.tif 000007
【国際調査報告】
2008527729.tif 000008
2008527729.tif 000009
2008527729.tif 000010
2008527729.tif 000011